(57)【要約】【課題】電池モジュールから排出されるオフガスと電池冷却水の両方を利用した湿熱交換型加湿器で、電池モジュールに供給する反応ガスの加熱・加湿を行うようにした固体高分子形燃料電池システムを提供する。【解決手段】電池モジュール１に連結される湿熱交換型加湿器２は、基本的構成として湿熱交換用素子６を挟んでオフガス流路３と、反応ガス流路４と、電池冷却水加湿流路５とが積層配置される。又、電池モジュール１の冷却水出口付近で電池冷却水主回路７と電池冷却水加湿回路８に分岐し、分岐箇所には流量制御手段９を設ける。更に、システムの各所にセンサ１０〜１２を適宜設け、センサからの信号により電池冷却水加湿回路８への電池冷却水の流量を制御する。【選択図】　　図１
2004031073.tif 000002
【特許請求の範囲】
【請求項１】
燃料電池に供給される反応ガスの加熱源・加湿源として、電池モジュールからのオフガス又は／及び温水を使用する湿熱交換型加湿器を備えることを特徴とする固体高分子形燃料電池システム。
【請求項２】
前記温水には電池モジュールから排出された電池冷却水の全量又はその一部を使用することを特徴とする請求項１記載の固体高分子形燃料電池システム。
【請求項３】
前記電池冷却水は、電池モジュールの冷却水出口付近で電池冷却水主回路と電池冷却水加湿回路に分岐し、この分岐箇所には流量制御手段を設け、前記電池冷却水加湿回路への流量を調整することにより電池モジュールへ供給する反応ガスの露点（温度・湿度）を制御することを特徴とする請求項２記載の固体高分子形燃料電池システム。
【請求項４】
前記湿熱交換型加湿器は、オフガス流路と電池冷却水加湿流路が、反応ガス流路を挟んで隣り合って配置されていることを特徴とする請求項２又は請求項３記載の固体高分子形燃料電池システム。
【請求項５】
前記反応ガスがオフガスによる加湿部分を通過した後、電池冷却水による加湿部分で更に加湿されるように配置されていることを特徴とする請求項２乃至請求項４いずれか１項記載の固体高分子形燃料電池システム。
【請求項６】
前記湿熱交換型加湿器内では湿熱交換用素子を挟んで反応ガスとオフガスが対向していることを特徴とする請求項１乃至請求項５いずれか１項記載の固体高分子形燃料電池システム。
【請求項７】
前記湿熱交換型加湿器内では湿熱交換用素子を挟んで反応ガスと電池冷却水が対向していることを特徴とする請求項２乃至請求項６いずれか１項記載の固体高分子形燃料電池システム。
【請求項８】
前記湿熱交換用素子には透湿膜を用いることを特徴とする請求項６又は請求項７記載の固体高分子形燃料電池システム。
【請求項９】
前記湿熱交換用素子は、１種類又は複数種類の材料から形成され、更に１枚又は複数枚から形成されていることを特徴とする請求項６乃至請求項８いずれか１項記載の固体高分子形燃料電池システム。
【請求項１０】
前記湿熱交換型加湿器は電池モジュールとは別体であることを特徴とする請求項１乃至請求項９いずれか１項記載の固体高分子形燃料電池システム。
【発明の詳細な説明】
【０００１】
【発明の属する技術分野】
本発明は、燃料電池に供給される反応ガスを湿熱交換型加湿器を用いて加熱・加湿する固体高分子形燃料電池システムの改良に関する。
【０００２】
【従来の技術】
固体高分子形燃料電池は、固体高分子電解質膜をアノード電極（燃料極）とカソード電極（酸化剤極）とでサンドイッチ状に挟んだ構造の単セルを形成し、それぞれの電極に反応ガスを流通させるためのセパレータ（ガス不透性プレート）を単セルの両側に配置して単電池を形成し、更に単電池を複数個積層すると共に両端部にエンドプレートを配置し、これらを締め付けロッドで締め付け一体化することにより電池モジュールを構成して成るものである。そして、アノード電極に水素等の燃料ガス、カソード電極に空気等の酸化剤ガスを供給し、電気化学反応により生じる起電力を取り出す。
【０００３】
この固体高分子形燃料電池の固体高分子電解質膜としては、例えばフッ素系イオン交換膜であるパーフルオロスルホン酸膜が用いられているが、これは湿潤状態でプロトン伝導性を発揮する特性を有している。固体高分子電解質膜が湿潤不足又は乾燥状態であると、プロトン伝導性が悪化して発電性能が低下するため、発電中において固体高分子電解質膜を湿潤状態に保持する手段がとられている。
【０００４】
固体高分子電解質膜の湿潤手段としては、従来例えば、特開平７−２８８１３４のように、酸化剤ガス（一般には空気が用いられる）や燃料ガスを加湿タンクに送り込んで加湿し、この加湿されたガスを電池モジュールに供給することにより固体高分子電解質膜を湿潤させることが知られている。又、電池モジュールに温湿度交換部を付設し、電池モジュールから排出されるオフガスを温湿度交換部に導入すると共に、電池モジュールに供給する反応ガスを温湿度交換部に導入し、この温湿度交換部で温度及び湿度を交換して反応ガスを加熱・加湿し、電池モジュールに供給するようにした手段も公開されている（例えば、特開平６−１３２０３２号公報、特開２０００−１６４２２９号公報）。
【０００５】
上記従来の温湿度交換部によると、図８のように前面のエンドプレートＡと後面のエンドプレートＢとの間に、反応ガス（未反応ガス）用のガスメッシュプレートＣ、オフガス（既反応ガス）用のメッシュプレートＤ及び保水性の多孔質体Ｅを交互に積層し、前面のエンドプレートＡの上部には反応ガス入口マニホールドＦ、下部にはオフガス出口マニホールドＧが配設され、後面エンドプレートＢの上部にはオフガス入口マニホールドＨ、下部には反応ガス出口マニホールドＩが配設された構造になっている。そして、温湿度交換部に導入されたオフガスと反応ガスは、保水性の多孔質体Ｅを介して互いに接触することにより温度及び湿度が交換される。
【０００６】
【発明が解決しようとする課題】
上記従来の電解質膜湿潤手段のうち、加湿タンクによる場合は、加湿タンクを備えなければならず、且つ加湿タンク内の水を適温に加熱するための外部熱源が必要となるため、固体高分子形燃料電池システムの全体構成が大型化する問題がある。一方、電池モジュールに温湿度交換部を付設する場合は、電池モジュールから排出されるオフガスを利用し、反応ガスとの間で温度及び湿度を交換するので加湿タンクや外部熱源を必要としないが、オフガスを利用するだけでは加湿能力が低く、加湿不足が生じる問題がある。
【０００７】
本発明は、このような従来の問題を解決するためになされ、電池モジュールから排出されるオフガスと、電池モジュールに供給する反応ガスとの間で温度及び湿度を交換する場合において、被加湿反応ガスの加湿不足を防止し、温度・湿度を適切な状態に制御できるようにした固体高分子形燃料電池システムを提供することを目的とする。
【０００８】
【課題を解決するための手段】
この目的を達成するための手段として、本発明の請求項１は、燃料電池に供給される反応ガスの加熱源・加湿源として、電池モジュールからのオフガス又は／及び温水を使用する湿熱交換型加湿器を備えることを特徴とする。
【０００９】
又、本発明の請求項２は、前記温水には電池モジュールから排出された電池冷却水の全量又はその一部を使用することを特徴とする。
【００１０】
本発明の請求項３は、前記電池冷却水は、電池モジュールの冷却水出口付近で電池冷却水主回路と電池冷却水加湿回路に分岐し、この分岐箇所には流量制御手段を設け、電池冷却水加湿回路への流量を調整することにより電池モジュールへ供給する反応ガスの露点（温度・湿度）を制御することを特徴とする。
【００１１】
本発明の請求項４は、前記湿熱交換型加湿器は、オフガス流路と電池冷却水加湿流路が、反応ガス流路を挟んで隣り合って配置されていることを特徴とする。
【００１２】
本発明の請求項５は、前記反応ガスがオフガスによる加湿部分を通過した後、電池冷却水による加湿部分で更に加湿されるように配置されていることを特徴とする。
【００１３】
本発明の請求項６は、前記湿熱交換型加湿器内では湿熱交換用素子を挟んで反応ガスとオフガスが対向していることを特徴とする。
【００１４】
本発明の請求項７は、前記湿熱交換型加湿器内では湿熱交換用素子を挟んで反応ガスと電池冷却水が対向していることを特徴とする。
【００１５】
本発明の請求項８は、前記湿熱交換用素子には透湿膜を用いることを特徴とする。
【００１６】
本発明の請求項９は、前記湿熱交換用素子は、１種類又は複数種類の材料から形成され、更に１枚又は複数枚から形成されていることを特徴とする。
【００１７】
そして、本発明の請求項１０は、前記湿熱交換型加湿器は電池モジュールとは別体であることを特徴とする。
【００１８】
本発明では、電池モジュールに供給する反応ガスを、湿熱交換型加湿器において電池モジュールから排出されるオフガスによるのみならず、温水特に電池モジュールから排出される電池冷却水を利用して加熱・加湿するため、温湿度交換を効率良く行えると共に適切な加湿調整を実現することができる。
【００１９】
【発明の実施の形態】
次に、本発明に係る固体高分子形燃料電池システムの実施形態について添付図面を参照しながら説明する。本実施形態では、電池モジュールに供給する酸化剤ガスの加熱・加湿の場合である。
【００２０】
図１は、固体高分子形燃料電池システムの構成を示すブロック図である。図中、１は電池モジュールであり、内部構造は省略したが固体高分子電解質膜をアノード電極（燃料極）とカソード電極（酸化剤極）とでサンドイッチ状に挟んだ構造の単セルを形成し、それぞれの電極に反応ガス（燃料ガス又は酸化剤ガス）を流通させるためのセパレータ（ガス不透性プレート）を単セルの両側に配置して単電池を形成し、更に単電池を複数個積層すると共に両端部にエンドプレートを配置し、これらを締め付けロッドで締め付け一体化することにより構成してある。
【００２１】
２は湿熱交換型加湿器であり、基本的構成として湿熱交換型加湿器２内のオフガス流路３と反応ガス流路４とが湿熱交換用素子６を挟んで配置され、更に反応ガス流路４と電池冷却水加湿流路５とがもう一つの湿熱交換用素子６を挟んで配置されている。
【００２２】
この湿熱交換型加湿器２は、上記電池モジュール１とオフガス回路、被加湿反応ガス回路、電池冷却水加湿回路の３本の接続管を介して連結されている。図２に示すように、湿熱交換型加湿器２内部は、オフガス流路３、反応ガス流路４、電池冷却水加湿流路５、更に反応ガス流路４が湿熱交換用素子６を挟んで、積層構造を形成し、各反応ガス流路４を流通したガスはオフガス流路３と電池冷却水加湿流路５の両側から湿熱交換用素子６を介して加湿され、被加湿反応ガス回路を通り電池モジュール１へ送られる。
【００２３】
図３は、図２の湿熱交換型加湿器２のバリエーションの一例であり、この湿熱交換型加湿器２Ａは、図２のように電池冷却水加湿流路５とオフガス流路３が１：１の割合で配置されず、１：２の割合で配置されたものである。即ち、図２とは異なり、両側をオフガス流路３に挟まれた反応ガス流路４が存在することになる。尚、この他の配置例も種々考えられ、オフガス流路３と電池冷却水加湿流路５の組み合わせ方及び数は限定されない。
【００２４】
図４は湿熱交換型加湿器２の他の構成例を示すもので、オフガス流路３と電池冷却水加湿流路５が、反応ガス流路４から見て直列に配置されたものである。図４（ａ）と（ｂ）はオフガス流路３と電池冷却水加湿流路５が連結又は積層された一体型のもの、（ｃ）は別体型のものである。
【００２５】
図４（ａ）に示す湿熱交換型加湿器２Ｂは、反応ガス流路の前半部はオフガスにより加熱・加湿され、後半部は電池冷却水により加熱・加湿される構成に特徴を有する。又、図４（ｂ）に示す湿熱交換型加湿器２Ｃは、反応ガスがオフガスにより加熱・加湿された後に電池冷却水により加熱・加湿される２Ｂの構成と、オフガス流路３、反応ガス流路４、電池冷却水加湿流路５を積層する図２のような基本構造を合わせた特徴を有する。更に、図４（ｃ）に示す湿熱交換型加湿器２Ｄは、オフガス流路３と電池冷却水加湿流路５とを分離する構成に特徴を有する。図４（ａ）〜（ｃ）の反応ガスはいずれもオフガスにより加熱・加湿された後、電池冷却水により更に加熱・加湿されるような配置になっている点では共通性を備えている。尚、オフガスと電池冷却水の加熱・加湿順序は逆にする構成も可能である。
【００２６】
図５に湿熱交換型加湿器２における反応ガスと、オフガス又は電池冷却水との流通方向を示す。図５（ａ）は対向流、（ｂ）は並行流、（ｃ）は直交流である。一般的に、並行流より対向流の方が熱交換器としての性能は高く、構造上可能であるならば、対向流となるように配置することが望ましい。しかし、本発明の湿熱交換型加湿器における反応ガスと、オフガス又は電池冷却水との流通方向は特に限定しない。
【００２７】
ここで、前記湿熱交換用素子６について説明する。この湿熱交換用素子６としては透湿膜を用いる。湿熱交換型加湿器２内では、反応ガスとオフガスの間と、反応ガスと電池冷却水の間とで同じ湿熱交換用素子を使う場合と、違う湿熱交換用素子を使う場合がある。反応ガスと電池冷却水の間の湿熱交換用素子は、液体が直接接触するため、反応ガスとオフガスの間の湿熱交換用素子より高い強度（組成、厚さ等）が要求される。しかし、一般的に湿熱交換用素子６の強度を上げると水分の透過性が悪くなるので、反応ガスとオフガスの間の湿熱交換用素子６は、必要とされる強度を満たす透過性の高い湿熱交換用素子を使用する方が望ましい。
【００２８】
湿熱交換用素子６として要求される要素は、湿熱交換を行うため素子内部を水分が移動可能であること、温度交換のためできるだけ薄いこと、湿潤状態で水分は通すがガスは透過しないこと、保水性が高いこと等である。このような湿熱交換用素子６としては、例えば膜状又はチューブ状の高分子（ジャパンゴアテックス社製Ｇｏｒｅ−ｓｅｌｅｃｔ、デュポン社製Ｎａｆｉｏｎ、旭化成社製Ａｃｉｐｌｅｘ、旭硝子社製Ｆｌｅｍｉｏｎ等）の他、植物性天然繊維（パルプ、コルク、綿等）、動物性天然繊維、化学繊維、又はガラス繊維を紙状、織布状、又は不織布状にしたもの、具体的には紙、和紙、フィルタ、フェルト等を挙げることができる。更に、高分子吸収剤、カーボン（カーボンペーパー、カーボン織布、カーボン不織布、多孔質カーボンプレート）、セルロース、動物の腸等でもよい。尚、いずれか１種類の材料で形成する場合と、２種類以上の複数の材料から形成する場合とがあり、又１枚で形成する場合と、複数枚で形成する場合とがある。
【００２９】
ところで、図１において湿熱交換型加湿器２には電池モジュール１から排出される電池冷却水が導入されるが、この電池冷却水は電池モジュール１の冷却水出口付近で電池冷却水主回路７と電池冷却水加湿回路８に分岐し、電池冷却水加湿回路８を流れた電池冷却水は湿熱交換型加湿器２内で湿熱交換を行った後に電池冷却水主回路７と合流する。そして、電池冷却水主回路７と電池冷却水加湿回路８の分岐箇所に流量制御手段９を設け、湿熱交換型加湿器２へ導入する電池冷却水の流量を調整することにより電池モジュール１へ供給する反応ガスの露点（温度・湿度）を制御する。
【００３０】
又、湿熱交換型加湿器２の反応ガス出口には第１のセンサ１０が設けられ、電池モジュール１の電池冷却水出口には第２のセンサ１１が設けられ、更に電池モジュール１の内部又は表面には第３のセンサ１２が適宜設けられ、これらのセンサを介して上記流量制御手段９を制御するように構成されている。この場合、便宜上第１のセンサ１０〜第３のセンサ１２を全て図１中に記載してあるが、制御の仕方によっては全てのセンサを用いるとは限らない。以下に、いくつかの制御実施例を記載する。
【００３１】
［制御実施例１］
湿熱交換型加湿器２の被加湿ガス出口に設けられた第１のセンサ１０により流量制御手段９を電子制御する。この場合、第１のセンサ１０は温度センサ又は／及び湿度センサであり、流量制御手段９は電子制御バルブである。第１のセンサ１０による被加湿反応ガスの出口温度又は／及び湿度の検出値に応じて、流量制御手段９を切り換えることにより湿熱交換型加湿器２に導入する電池冷却水の流量を増減する。
【００３２】
［制御実施例２］
湿熱交換型加湿器２の反応ガス流路４出口に設けられた第１のセンサ１０に反応する感温型ダイヤフラムにより湿熱交換型加湿器２に導入する電池冷却水の量を制御する。この場合、第１のセンサ１０は温度センサであり、流量制御手段９は感温型ダイヤフラムである。
【００３３】
［制御実施例３］
電池モジュール１の電池冷却水出口に設けられた第２のセンサ１１により流量制御手段９を電子制御する。この場合、第２のセンサ１１は温度センサ又は／及び湿度センサであり、流量制御手段９は電子制御バルブである。電池モジュール１から排出される電池冷却水の出口温度又は／及び湿度の検出値に応じて、流量制御手段９を切り換えて湿熱交換型加湿器２に導入する電池冷却水の流量を増減する。
【００３４】
［制御実施例４］
電池モジュール１の電池冷却水出口に設けられた第２のセンサ１１に反応する感温型ダイヤフラムにより湿熱交換型加湿器２に導入する電池冷却水の量を制御する。この場合、第２のセンサ１１は温度センサであり、流量制御手段９は感温型ダイヤフラムである。
【００３５】
［制御実施例５］
電池モジュール１に設けられた第３のセンサ１２により流量制御手段９を電子制御する。この場合、第３のセンサ１２は温度センサ又は／及び湿度センサであり、流量制御手段９は電子制御バルブである。電池モジュール１の内部温度又は／及び湿度の検出値に応じて、流量制御手段９を切り換えて湿熱交換型加湿器２に導入する電池冷却水の流量を増減する。
【００３６】
［制御実施例６］
電池モジュール１に設けられた第３のセンサ１２に反応する感温型ダイヤフラムにより湿熱交換型加湿器２に導入する電池冷却水の量を制御する。この場合、第３のセンサ１２は温度センサであり、流量制御手段９は感温型ダイヤフラムである。
【００３７】
［制御実施例７］
図示は省略したが、予め電池冷却水主回路７と湿熱交換型加湿器２への電池冷却水加湿回路８の分岐部に電池冷却水主回路７と電池冷却水加湿回路８への流量比を設定したオリフィスを用いる。この場合は、第１のセンサ１０〜第３のセンサ１２はいずれも設けなくてよい。
【００３８】
このように構成された固体高分子形燃料電池システムにおいて、反応ガスは湿熱交換型加湿器２を流通した後に電池モジュール１に供給される。湿熱交換型加湿器２を流通する際に、反応ガスと、電池モジュール１から排出されたオフガス及び電池冷却水との間で温度及び湿度が交換される。即ち、顕熱のみならず潜熱も同時に交換される。
【００３９】
電池モジュール１から排出されるオフガスは、その時点での電池モジュール１の内部温度とほぼ同じ温度を有し、且つ電気化学反応によりカソード電極で生じる生成水（飽和に近い水蒸気）を含んでいる。このオフガスと反応ガスとの温湿度交換は、湿熱交換型加湿器２内のオフガス流路３と反応ガス流路４が湿熱交換用素子６を介して接触することで行われる。
【００４０】
即ち、低温低湿の反応ガスと高温高湿のオフガスとが、湿熱交換用素子６を介して接触することにより、オフガス中に含まれている水蒸気が凝縮し、その凝縮水により湿熱交換用素子６が濡れる。又、同時に熱交換も行われるため、反応ガスの温度が上昇すると共に、湿熱交換用素子６から水分が蒸発することにより反応ガスが加湿される。これにより、加熱・加湿された被加湿反応ガスを電池モジュール１に供給できる。
【００４１】
このオフガスによる反応ガスの加熱・加湿と同時に、湿熱交換型加湿器２の電池冷却水加湿流路５において、電池モジュール１から排出された電池冷却水と反応ガスとの間で温度及び湿度交換が行われる。電池モジュール１から排出された電池冷却水は、その時点での電池モジュール１の内部温度とほぼ同じ温度を有しており、この温水と反応ガスとが湿熱交換用素子６を介して接触することにより、温度及び湿度の交換が行われる。これにより、反応ガスはオフガスによる加熱・加湿のみならず電池冷却水による加熱・加湿が加わるため、温湿度交換が効率良く行われると共に、加湿能力が増大するため電池モジュール１の固体高分子電解質膜を充分に加湿することができる。
【００４２】
電池モジュール１の運転開始時には、未だ電池モジュール１の温度は低く、電池モジュール１から排出されるオフガスの温度が低い。オフガスの温度が低いとオフガスの飽和水蒸気量が低く、この低温のオフガスを湿熱交換型加湿器２に導入して反応ガスとの間で温度及び湿度を交換しても反応ガスを充分に加湿することはできない。
【００４３】
このようなオフガス低温（低露点）時において、例えば前記制御実施例５を用いた場合、電池モジュール１の温度又は／及び湿度を第３のセンサ１２で検出し、その検出信号を制御装置（図略）に入力して演算し、この制御装置から流量制御手段９に指令信号が出力される。そして、流量制御手段９により電池モジュール１から排出される電池冷却水を湿熱交換型加湿器２に適量導入する。従って、高温高湿のオフガスが得られない発電開始時においても、電池冷却水の一部を利用することで充分に加熱・加湿した被加湿反応ガスを電池モジュール１に供給することが可能となる。
【００４４】
電池モジュール１の温度が徐々に上昇して運転温度になると、電池モジュール１から排出されるオフガスの温度が運転温度近傍まで上昇する。運転中のオフガスは多量の水蒸気を含んでいるため、オフガスを湿熱交換型加湿器２に導入して反応ガスとの間で温度及び湿度を交換すると反応ガスを充分に加湿することができる。
【００４５】
このようなオフガス高温（高露点）時において、例えば前記制御実施例５を用いた場合、電池モジュール１の温度又は／及び湿度を第３のセンサ１２で検出し、その検出信号を制御装置に入力して演算し、この制御装置から流量制御手段９に指令信号が出力される。そして、流量制御手段９により電池モジュール１から排出される電池冷却水を湿熱交換型加湿器２に適量導入する。この時はオフガス低温時とは異なって、オフガスによる加湿能力が高いため、電池冷却水による加湿能力は低くてよい。従って、湿熱交換型加湿器２に導入する電池冷却水の流量は少なくて済む。
【００４６】
このようにして、例えば前記制御実施例５を用いた場合、電池モジュール１の温度又は／及び湿度を第３のセンサ１２で検出し、この検出値に基づいて流量制御手段９を制御し、電池モジュール１から湿熱交換型加湿器２に導入する電池冷却水の流量を調整することにより、電池モジュール１に供給すべき被加湿反応ガスの加熱・加湿を最適に行うことができる。
【００４７】
図６は反応ガスの加熱源・加湿源としてオフガスのみを用いた場合と、オフガス＋電池冷却水を用いた場合との実験結果を示すグラフである。電池モジュール１から排出される電池冷却水を併用することにより著しく能力改善できることが判明した。この実験において、湿熱交換用素子６として透湿膜（和紙）を用いた。尚、酸化剤利用率：４０％、電池冷却水分配比率：３０％である。
【００４８】
本実施形態の他の特徴点として、前記湿熱交換型加湿器２は電池モジュール１とは別体に構成したことである。従来では電池モジュールと一体に形成されているため長大となり、システム全体が大型化する傾向にあった。本実施形態では、別体構成であるから電池モジュール１に対する湿熱交換型加湿器２の配置場所の自由度が大きくなり、図７のように電池モジュール１の近傍いずれの位置でもよい。湿熱交換型加湿器２の配置場所を任意に選択することでシステム全体の小型化が可能となり、又、メンテナンス時における点検、修理等の作業が電池モジュール１とは関係なく行えるため、容易になる。
【００４９】
尚、上記の実施形態では、被加湿反応ガスは酸化剤ガスについて説明したが、本発明は酸化剤ガスに限定されることなく、燃料ガスについても同様の要領で実施することが可能である。
【００５０】
【発明の効果】
以上説明したように、本発明に係る固体高分子形燃料電池システムにおいて、請求項１の発明によれば、燃料電池に供給される反応ガスの加熱源・加湿源として、電池モジュールからのオフガス又は／及び温水を使用する湿熱交換型加湿器を備えているので、オフガスによる温湿度交換のみならず、温水による温湿度交換も行え、反応ガスを効率良く加熱・加湿することができる。
【００５１】
又、請求項２の発明によれば、前記温水には電池モジュールから排出された電池冷却水の全量又はその一部を使用するので、温水を作るための外部熱源が不要となり、システムの小型化が可能になると共に、温湿度交換用媒体として適切に有効利用することができる。又、電池冷却水はオフガスよりも熱量が大きいので、オフガスだけでは達成できない高露点への加熱・加湿が可能となる。
【００５２】
請求項３の発明よれば、前記湿熱交換型加湿器用温水は、電池モジュールの冷却水出口付近で電池冷却水主回路と電池冷却水加湿回路に分岐し、この分岐箇所には流量制御手段を設け、前記電池冷却水加湿回路への流量を調整することにより電池モジュールへ供給する反応ガスの露点（温度・湿度）を制御するので、温湿度交換用媒体としての作用を適切に調整することができる。又、湿熱交換型加湿器へ流通する電池冷却水の比率は、電池冷却水主回路の０〜１００％の範囲で任意に可変できる。
【００５３】
請求項４の発明によれば、前記湿熱交換型加湿器は、オフガス流路と電池冷却水加湿流路が、反応ガス流路を挟んで隣り合って配置されているので、両流路から同時に加湿することができる。
【００５４】
請求項５の発明によれば、前記反応ガスがオフガスによる加湿部分を通過した後、電池冷却水による加湿部分で更に加湿されるように配置されているので、
オフガスの露点に対して一意に決まる値まで加湿された反応ガスを、電池冷却水により再加熱・加湿することにより、電池モジュールの状態に合わせた最適な加湿制御が可能となる。
【００５５】
請求項６の発明によれば、前記湿熱交換型加湿器内では湿熱交換用素子を挟んで反応ガスとオフガスが対向しているので、並行流の場合よりもオフガスによる温湿度交換を効率良く行うことができる。
【００５６】
請求項７の発明によれば、前記湿熱交換型加湿器内では湿熱交換用素子を挟んで反応ガスと電池冷却水が対向しているので、並行流の場合よりも電池冷却水による温湿度交換を効率良く行うことができる。
【００５７】
請求項８の発明によれば、前記湿熱交換用素子には透湿膜を用いるので、透水性に優れており且つ保水状態においてはガスを通さず、このため温湿度交換が円滑に行われると共に、反応ガス中にオフガスが混入するのを防止することができる。
【００５８】
請求項９の発明によれば、前記湿熱交換用素子は、１種類又は複数種類の材料から形成され、更に１枚又は複数枚から形成されているので、湿熱交換用素子として最適な機能を有するものを容易に作製できると共に、電池モジュールの規模に対応する機能を備えた湿熱交換型加湿器を作製することができる。
【００５９】
そして、請求項１０の発明によれば、前記湿熱交換器型加湿器は電池モジュールとは別体であるので、電池モジュールに対する湿熱交換型加湿器の配置場所の自由度が向上し、電池モジュールとの接続配管や燃料電池システム内のレイアウトを考慮して最適な配置を選ぶことが可能となる。又、システム全体の小型化を図ることも可能となる。更に、湿熱交換型加湿器の保守又は調整時に、電池モジュールとは関係なく作業ができるため便利である。
【図面の簡単な説明】
【図１】本発明に係る固体高分子形燃料電池システムの実施形態を示す構成ブロック図である。
【図２】本発明に係る固体高分子形燃料電池システムにおける湿熱交換型加湿器の基本的構成を示す説明図である。
【図３】本発明に係る固体高分子形燃料電池システムにおける湿熱交換型加湿器の基本的構成に対し、オフガス流路の数と電池冷却水加湿流路の数の比率を変化させたものの説明図である。
【図４】本発明に係る固体高分子形燃料電池システムにおける湿熱交換型加湿器の他の構成例を示すもので、オフガス流路と電池冷却水加湿流路が反応ガス流路から見て直列に配置された構成で、（ａ）と（ｂ）はオフガス流路と電池冷却水加湿流路が連結又は積層された一体型、（ｃ）は別体型をそれぞれ示す説明図である。
【図５】本発明に係る固体高分子形燃料電池システムにおける湿熱交換型加湿器の反応ガスと、オフガス又は電池冷却水との流通方向を示すもので、（ａ）は対向流の場合、（ｂ）は並行流の場合、（ｃ）は直交流の場合をそれぞれ示す説明図である。
【図６】本発明に係る固体高分子形燃料電池システムにおける反応ガスの加熱源・加湿源としてオフガスのみを用いた場合と、オフガス＋電池冷却水を用いた場合との実験結果を示すグラフである。
【図７】本発明に係る固体高分子形燃料電池システムにおける湿熱交換型加湿器と電池モジュールの位置関係を示す説明図である。
【図８】従来の固体高分子形燃料電池システム例における温湿度交換部を示す構成ブロック図である。
【符号の説明】
１…電池モジュール
２…湿熱交換型加湿器
３…オフガス流路
４…反応ガス流路
５…電池冷却水加湿流路
６…湿熱交換用素子
７…電池冷却水主回路
８…電池冷却水加湿回路
９…流量制御手段
１０…第１のセンサ
１１…第２のセンサ
１２…第３のセンサ
【図１】
2004031073.tif 000003
【図２】
2004031073.tif 000004
【図３】
2004031073.tif 000005
【図４】
2004031073.tif 000006
【図５】
2004031073.tif 000007
【図６】
2004031073.tif 000008
【図７】
2004031073.tif 000009
【図８】
2004031073.tif 000010